(57)【要約】【課題】鋼製平パレットに簡単に位置規制をしてセットできると共にガラス板等を多数立設して安定して包装できる梱包用補助材を提供する。【解決手段】長さ方向に凹溝を有する型鋼７を用いて底面の２箇所からそれぞれ内方へ折り曲げて三角台２とし、傾斜辺の一辺に沿って延長した背もたれ部３を設け、前記三角台２と背もたれ部３とを底部材４の端に固定し、この底部材４の下面に前後方向の位置決め部材５を１つ又は複数個取り付け、全体を一体化してなるガラス板その他板状体の梱包用補助材。【選択図】図１
2005059912.tif 000002
【特許請求の範囲】
【請求項１】
長さ方向に凹溝を有する型鋼を用いて底面の２箇所からそれぞれ内方へ折り曲げて三角台とし、傾斜辺の一辺に沿って延長した背もたれ部を設け、前記三角台と背もたれ部とを底部材の端に固定し、この底部材の下面に前後方向の位置決め部材を１つ又は複数個取り付け、全体を一体化してなるガラス板その他板状体の梱包用補助材。
【請求項２】
背もたれ部が三角台の傾斜辺の一辺に沿って延長すると共に他辺の延長部と合体して２重壁とした請求項１記載のガラス板その他板状体の梱包用補助材。
【請求項３】
底部材が平パレットのデッキ部材に隣接すると共に位置決め部材がデッキ部材と係合して前後方向の位置決めをして補助材を定位置にセットするようにしたことを特徴とする請求項１記載のガラス板その他板状体の梱包用補助材。
【発明の詳細な説明】
【技術分野】
【０００１】
この発明はガラス板その他板状体の梱包用補助材に関するもので、通常の平面ガラス板やプラズマディスプレーパネル用のガラス板のように厚みを約3mmとし、縦横を６００ｘ９００mm  程度のものを５０枚から１００枚立設して収納する場合に使用され、安全に且つ背もたれ部にもたれさせた傾斜状態で梱包する場合に使用される梱包用補助材に関する。
【背景技術】
【０００２】
従来ガラス板等を１００枚以上積み重ねて梱包する場合、保持台を用いてガラス板を背もたれ面に立てかけるようにした収納方法や折りたたみ式パレットとして側壁部を折りたたみ自在としたもの或いは側方フレームを折り重ねることができるようにして、ガラスを搭載しない場合輸送用具が占めるスペースを軽減しようとした構成は知られている。
【特許文献１】特開２０００−１４２８５６号公報
【発明の開示】
【発明が解決しようとする課題】
【０００３】
公知例では、パレットと保持台との係合関係についての記載が具体的に示されていない。またスチールパレットにおいて、ガラスを搭載しない場合に周囲のフレームを折りたたんだり、折り重ねることによりスペースを軽減することはできるが、構成部品の数が多く、パレットとの係合状態が複雑になっている。
【０００４】
本願発明は、型鋼を用いて三角台と背もたれ部と底部材とを一体的に構成してパレット上に取り付け取り外し自在とし、剛性を有し軽量でガラス板等を傾斜状態で安全に保持することができ、包装時に不用意にガラス板等が倒れて破損することがないようにすると共にパレットのデッキ部材の定位置に位置決めされて固定されるガラス板その他板状体の梱包用補助材を提供しようとするものである。
【課題を解決するための手段】
【０００５】
第１発明では長さ方向に凹溝を有する型鋼を用いて底面の２箇所からそれぞれ内方へ折り曲げて三角台とし、傾斜辺の一辺に沿って延長した背もたれ部を設け、前記三角台と背もたれ部とを底部材の端に固定し、この底部材の下面に前後方向の位置決め部材を１つ又は複数個取り付け、全体を一体化してなるガラス板その他板状体の梱包用補助材とした。
【０００６】
第２発明では、背もたれ部が三角台の傾斜辺の一辺に沿って延長すると共に他辺の延長部と合体して２重壁としたガラス板その他板状体の梱包用補助材とした。
【０００７】
第３発明では、底部材が鋼製平パレットのデッキ部材に隣接すると共に位置決め部材がデッキ部材と係合して前後方向の位置決めをして補助材を定位置にセットする梱包用補助材とした。
【発明の効果】
【０００８】
本発明では長さ方向に凹溝を有する型鋼を用いて三角台と背もたれ部と底部材とを一体的に構成しているので軽量であり、パレット上には底部材と位置決め部材とにより容易にパレットのデッキ部材と係合して、セットすることができる。
【０００９】
背もたれ部が適宜に後方へ傾斜しているので、ガラス板等を安定して傾斜状態で保持することができ、包装時に不用意にガラス板等が倒れて破損させることがない。
【００１０】
さらに三角台、背もたれ部及び底部材と位置決め部材とが一体となっているので、パレットのデッキ部材へのセットが容易であり、使用しない場合は取り外して分離し収納したり搬送することもでき便利なガラス板その他板状体の梱包用補助材を提供することができた。
【発明を実施するための最良の形態】
【００１１】
本発明はガラス板その他板状体の多数を積み重ねてパレット上に載置し、周辺を段ボールその他の緩衝材で囲み、全体にベルトなどを用いて包装する場合、ガラス板等を傾斜状に保持する梱包用補助材である。
【００１２】
長さ方向に凹溝を有する型鋼を用いた三角台、背もたれ部及び底部材は、型鋼そのものが幅方向に剛性を有し且つ土台としての三角台の傾斜面で多数のガラス板等の重量を保持し、不用意にガラス板等が外方へ倒れるようなことを未然に防止できるようにした。
【００１３】
この梱包用補助材はパレット上に容易に取り付け取り外しできる形体として、パレットのデッキ部材に隣接する長さとし、底部材の下面に設けた位置決め部材がデッキ部材の下方に沿うようにしておけば位置規制が容易である。パレットの大きさによれば、梱包用補助材を横方向へ複数個設け、位置決め部材を１つ又は複数個設けて安定を図るようにした。
【００１４】
長さ方向に凹溝を有する型鋼を用いて底面の２箇所からそれぞれ内方へ折り曲げて三角台を構成することによりガラス板等を安定して保持できる土台を設けると共に三角台に沿って延長した背もたれ部を設けたので傾斜面にかけられるガラスの重量を保持できるようにした。
【００１５】
三角台と背もたれ部は底部材の端に固定され、底部材はデッキ部材の上に載せて前後方向のデッキ部材に隣接されると共に底部材の下面に取り付けられた位置決め部材がパレットのデッキ部材の下方へ沿うようにセットできるので前後位置関係が一定となり、取り付け取り外しが自在となった。
【００１６】
三角台と背もたれ部及び底部材と位置決め部材が一体となっているので、取り扱いが容易であり、使用しない場合には取り外して収納及び搬送にも大きなスペースを必要としない。
【００１７】
背もたれ部が三角台を構成する傾斜辺の一辺に沿って延長されると共に他辺の延長部と合体して２重壁としたので、溶接等がし易く且つ三角台と共に背もたれ部を補強している。
【００１８】
底部材が鋼製平パレットのデッキ部材に隣接すると共に位置決め部材がデッキ部材の下方に沿い前後方向の位置が容易に決められ、本発明の梱包用補助材をパレットにセットする場合に位置規制が容易である。
【実施例１】
【００１９】
図１及び図２において、１は梱包用補助材で、長さ方向に凹溝を有する型鋼を用いて一体成形されている。２は三角台で、底面の２箇所からそれぞれ内方へ折り曲げ頂点で固定した。フォーミング材を用いると鋼材加工により容易に成形できる。
【００２０】
３は背もたれ部で、図示した例では三角台２の傾斜辺の一辺に沿って延長すると共に他辺の延長部を合体して２重壁とした。なおこの背もたれ部は三角台の上端で溶接、リベット等により固定されればよいので、他辺の延長部と合体して２重壁にしなくても良い。
【００２１】
背もたれ部３の傾斜角度は、5〜１０度程度が適当である。
【００２２】
４は底部材で、この底部材の端に前記三角台２と背もたれ部３とが一体的に固定されている。５は底部材の下面に取り付けられた位置決め部材である。底部材４によりパレットのデッキ部材に隣接して取り付けられると共に位置決め部材５によりデッキ部材の前後方向の位置合わせが容易となり、安定して取り付けることができる。
【００２３】
図１の例では、位置決め部材５はデッキ部材の間隔に合わせて２個所に形成しているが、これに限定するものではない。なお図２において、位置決め部材５はパレットのデッキ部材９と係合して前後方向の位置決めを容易にしている。図３は位置決め部材６として、底部材４と直交し若干左右に突出して設けた場合を示す。
【００２４】
図４は長さ方向に凹溝を有する型鋼７の一例を示すもので凹溝により幅方向に剛性を有し、軽量となっている。
【００２５】
図５は梱包用補助材１をパレットにセットした状態を示す斜視図で、パレットとして型鋼による鋼製平パレット８を用い、デッキ部材９の幅に合わせて底部材４が隣接すると共に位置決め部材６がデッキ部材９の下方に沿い前後方向の位置決めをするようにした。
【００２６】
底部材４の長さは例えば鋼製平パレット(1350 x 900mm)のデッキ部材９の幅（900mm）とし、デッキ部材９の空間部で下方に沿うように位置決め部材６が挿入され、梱包用補助材１全体がセットできるようになっている。位置決め部材６と同様に位置決め部材５を用いても同様の効果がある。
【実施例２】
【００２７】
パレットは型鋼を用いた鋼製平パレットに限定するものではなく、木製パレットの場合、その他のパレットについても、予め底部材の長さ及び位置決め部材の取り付け位置等を決めておけば本発明の補助材を用いて位置合わせができる。
【産業上の利用可能性】
【００２８】
ガラス板その他板状体の梱包用補助材として、通常の平面ガラス板やプラズマディスプレーパネル用のガラス板を５０枚から１００枚程度立設して収納する場合に使用され、安全に且つ背もたれ部にもたれさせた傾斜状態で梱包することができる梱包用補助材であり、梱包して搬送するに便利である。
【図面の簡単な説明】
【００２９】
【図１】本発明の梱包用補助材を示す斜視図。
【図２】同側面図。
【図３】他実施例を示す斜視図。
【図４】長さ方向に凹溝を有する型鋼の一部省略拡大斜視図。
【図５】鋼製平パレット上にセットした状態を示す斜視図。
【符号の説明】
【００３０】
１：  梱包用補助材
２：  三角台
３：  背もたれ部
４：  底部材
５、６：  位置決め部材
７：  型鋼
８：  鋼製平パレット
９：  デッキ部材
【図１】
2005059912.tif 000003
【図２】
2005059912.tif 000004
【図３】
2005059912.tif 000005
【図４】
2005059912.tif 000006
【図５】
2005059912.tif 000007